Podtech/llm-jp-corpus-v4-ja_patent huggingface dataset:
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
ウイルスを複合試料から単離する方法であって、以下の工程：
ａ）複合試料を提供すること、
ｂ）前記試料を、少なくとも二価の塩化物塩および／またはイオン液体を含む抽出溶液と共にインキュベートすること、
ｃ）前記ウイルスを工程ｂ）の混合物から単離すること
を含む、前記方法。
【請求項２】
複合試料が、食物または臨床試料であることを特徴とする、請求項１に記載の方法。
【請求項３】
抽出溶液が、ＭｇＣｌ２を０．５〜６Ｍの濃度で含むことを特徴とする、請求項１または２に記載の方法。
【請求項４】
工程ｃ）において、ウイルスが混合物から遠心分離および／または沈殿によって単離されることを特徴とする、請求項１〜３のいずれか一項に記載の方法。
【請求項５】
工程ｂ）の前に、試料に規定量の対照ウイルスを添加することを特徴とする、請求項１〜４のいずれか一項に記載の方法。
【請求項６】
試料を、少なくとも１種のバイオポリマー分解酵素とともにさらにインキュベートすることを特徴とする、請求項１〜５のいずれか一項に記載の方法。
【請求項７】
さらなる工程ｄ）において、細胞計数によって、ＰＣＲ法によって、レクチンを用いることによって、あるいはウイルスに選択的に結合する抗体またはタンパク質または前記ウイルス粒子の表面構造に向けられたアプタマーを用いる方法によって、ウイルスを分析することを特徴とする、請求項１〜６のいずれか一項に記載の方法。
【請求項８】
工程ｃ）において、ウイルスおよび細胞壁に囲まれている細胞を、並行したまたは後続する単離工程により単離することを特徴とする、請求項１〜７のいずれか一項に記載の方法。
【請求項９】
工程ｃ）において、少なくとも２つの後続する遠心分離工程を行うことを特徴とする、請求項８に記載の方法。
【請求項１０】
工程ｃ）で単離されるウイルスが、１０〜１００ｎｍの直径を有することを特徴とする、請求項１〜９のいずれか一項に記載の方法。
【手続補正書】
【提出日】平成25年8月15日(2013.8.15)
【手続補正１】
【補正対象書類名】特許請求の範囲
【補正対象項目名】全文
【補正方法】変更
【補正の内容】
【特許請求の範囲】
【請求項１】
２つ以上のアミノ酸置換を含むグルコアミラーゼ変異体の、デンプンの加水分解中の縮合産物の合成を低下させるための使用であって、
ここで、ａ）  少なくとも１つのアミノ酸置換は、配列番号２の５１８位〜５４３位のアミノ酸配列または親グルコアミラーゼにおける等価な残基配列を有する相互連結ループ２’中にあり、および
ｂ）  少なくとも１つのアミノ酸置換は、配列番号２のアミノ酸配列または親グルコアミラーゼにおける等価な残基配列を有するループ１中に、および／または、配列番号２の５２位〜６８位のアミノ酸配列または親グルコアミラーゼにおける等価な残基配列を有するヘリックス２中に、および／または、配列番号２の３９６位〜４２０位のアミノ酸配列または親グルコアミラーゼにおける等価な残基配列を有するループ１１中に、および／または配列番号２の４２１位〜４３４位のアミノ酸配列または親グルコアミラーゼにおける等価な残基配列を有するヘリックス１２中にあり；
ここで、該グルコアミラーゼ変異体は、配列番号１、２、３、５、６、７、８、または９に対して少なくとも８５％の配列同一性を有する、
使用。
【請求項２】
グルコアミラーゼ変異体が、親グルコアミラーゼと比較してイソマルトース合成およびデンプン加水分解活性の間の低下した比（ＩＳ／ＳＨ比）を示す、請求項１に記載のグルコアミラーゼ変異体の使用。
【請求項３】
請求項１または２に記載のグルコアミラーゼ変異体の使用であって、グルコアミラーゼ変異体が、５３９位にアミノ酸置換を、および４４、６１、４１７、および４３１位から選択される位置に１つまたは複数のアミノ酸置換を有し、該位置は、配列番号２におけるそれぞれの位置または親グルコアミラーゼにおける等価な位置に対応する、使用。
【請求項４】
請求項１〜３のいずれか１項に記載のグルコアミラーゼ変異体。
【請求項５】
２つ以上のアミノ酸置換を含むグルコアミラーゼ変異体であって、ここで、アミノ酸置換は、５３９位にあり、およびアミノ酸置換は、４４位にあり、該位置は、配列番号２におけるそれぞれの位置、または親グルコアミラーゼにおける等価な位置に対応し、およびその配列は、親グルコアミラーゼに対して少なくとも８０％の配列同一性を有し、およびここで、４４位におけるアミノ酸置換は、４４Ｃではない、グルコアミラーゼ変異体。
【請求項６】
請求項４または５に記載のグルコアミラーゼ変異体であって、以下のアミノ酸置換を含み：
ａ．  Ｄ４４ＲおよびＡ５３９Ｒ；または
ｂ．  Ｄ４４Ｒ、Ｎ６１Ｉ、およびＡ５３９Ｒ、
該位置は、配列番号２におけるそれぞれの位置、または親グルコアミラーゼにおける等価な位置に対応する、グルコアミラーゼ変異体。
【請求項７】
配列番号１、２、１１、３８５、３８６、３８７、３８８、３８９、または３９０のデンプン結合ドメインに対して少なくとも９６％、９７％、９８％、９９％、または９９．５％の配列同一性を有するデンプン結合ドメインを有する、および／または、配列番号１、２、３、５、６、７、８、または９の触媒ドメインに対して少なくとも８０％、８５％、９０％、９５％、または９９．５％の配列同一性を有する触媒ドメインを有する、請求項４〜６のいずれか１項に記載のグルコアミラーゼ変異体。
【請求項８】
配列番号１、２、３、５、６、７、８、または９に対して少なくとも８５％、９０％、９５％、９８％、または９９．５％の配列同一性を有する、請求項４〜７のいずれか１項に記載のグルコアミラーゼ変異体。
【請求項９】
配列番号２に対して少なくとも８５％、９０％、９５％、９８％、または９９．５％の配列同一性を有する、請求項４〜８のいずれか１項に記載のグルコアミラーゼ変異体。
【請求項１０】
親グルコアミラーゼと比較してイソマルトース合成およびデンプン加水分解活性の間の低下した比（ＩＳ／ＳＨ比）示す、および／またはＴｒＧＡなどのような親グルコアミラーゼと比較して、増強した実質的な程度の発酵を示す、請求項４〜９のいずれか１項に記載のグルコアミラーゼ変異体。
【請求項１１】
請求項４〜１０のいずれか１項に記載のグルコアミラーゼ変異体をコードするポリヌクレオチド、たとえば、前記ポリヌクレオチドを含む、または請求項４〜１０のいずれか１項に記載の前記グルコアミラーゼ変異体を発現することができる、ベクター。
【請求項１２】
請求項４〜１０のいずれか１項に記載のグルコアミラーゼ変異体を発現することができる細胞、たとえば、請求項１１に記載のベクターを含む宿主細胞、または請求項４〜１０のいずれか１項に記載のグルコアミラーゼ変異体をコードする核酸を染色体の中に安定して統合している宿主細胞。
【請求項１３】
グルコアミラーゼ変異体を発現させる方法であって、請求項１２に記載の細胞または宿主細胞を得ることと、該細胞または宿主細胞からグルコアミラーゼ変異体を発現させることとを含み、グルコアミラーゼ変異体を精製することを含んでもよい、方法。
【請求項１４】
請求項４〜１０のいずれか１項に記載のグルコアミラーゼ変異体の少なくとも１つを含み、アミラーゼ、プロテアーゼ、プルラナーゼ、セルラーゼ、グルカナーゼ、キシラナーゼ、アラビノフコシダーゼ、フェルラ酸エステラーゼ、キシランアセチルエステラーゼ、およびさらなるグルコアミラーゼの中から選択される少なくとも１つのさらなる酵素を含んでもよい、酵素組成物。
【請求項１５】
醸造用の麦芽汁を生産するための方法であって、グリストからマッシュを形成することと、請求項４〜１０のいずれか１項に記載のグルコアミラーゼ変異体または請求項１４に記載の酵素組成物とマッシュを接触させることとを含む、方法。
【手続補正書】
【提出日】平成25年8月14日(2013.8.14)
【手続補正１】
【補正対象書類名】特許請求の範囲
【補正対象項目名】全文
【補正方法】変更
【補正の内容】
【特許請求の範囲】
【請求項１】
哺乳動物における加齢関連障害の改善に効果的な免疫原性組成物であって、
配列番号１０、２、４、６、８、１３、１４、１５、１６若しくは１７に示す少なくとも１つのａｒＮＯＸタンパク質又はポリペプチド、或いは
配列番号２のアミノ酸５４８〜５６８、配列番号２のアミノ酸５６〜８７、配列番号６のアミノ酸７３〜１０４、配列番号８のアミノ酸５５〜８８若しくは配列番号１０のアミノ酸５３〜８４に示すアミノ酸配列を有するペプチド
を含む組成物。
【請求項２】
哺乳動物における加齢の状態及びａｒＮＯＸアイソフォーム組成を決定するために用いられる、配列番号１、配列番号３、配列番号５、配列番号７及び配列番号９に示すヌクレオチド配列の少なくとも１５連続ヌクレオチドから本質的になるハイブリダイゼーションプローブ又はプライマー。
【請求項３】
哺乳動物におけるａｒＮＯＸアイソフォーム組成を決定するために用いられる抗ａｒＮＯＸタンパク質抗体。
【請求項４】
組換えＤＮＡ分子を含有するように形質転換又はトランスフェクションされた単離宿主細胞であって、
前記組換えＤＮＡ分子が可溶性加齢関連ＮＡＤＨ酸化酵素（ａｒＮＯＸ）ポリペプチド又はその酵素活性断片をコードする部分を含む非天然組換えＤＮＡ分子であって、前記部分が、配列番号２、配列番号４、配列番号６、配列番号８、配列番号１０、配列番号１３、配列番号１４、配列番号１５、配列番号１６及び配列番号１７からなる群より選択されるアミノ酸配列を含むタンパク質をコードするヌクレオチド配列、又は前記配列の１つとストリンジェントな条件下でハイブリダイズするヌクレオチド配列を含み、ハイブリダイズする前記配列が、ａｒＮＯＸファミリーのアイソフォームの加齢関連マーカータンパク質をコードし、
前記単離宿主細胞がＣＯＳ細胞である、単離宿主細胞。
【請求項５】
宿主細胞でａｒＮＯＸ活性タンパク質又はポリペプチドを組換え生成する方法であって、
ａ．前記宿主細胞において活性なプロモーターと、前記ａｒＮＯＸポリペプチドのコード領域とを含むベクターに単離宿主細胞を感染させるか又は該ベクターで該宿主細胞を形質転換して、組換え宿主細胞を生成するステップであって、前記ａｒＮＯＸタンパク質又はポリペプチドが、配列番号２、配列番号４、配列番号６、配列番号８、配列番号１０、配列番号１３、配列番号１４、配列番号１５、配列番号１６又は配列番号１７のアミノ酸配列により同定される９回膜貫通型スーパーファミリーメンバー１ａ、１ｂ、２、３及び４からなる群より選択されるアミノ酸配列を含み、前記プロモーターが、前記コード領域と作動可能に連結されているステップと、
ｂ．組換え宿主細胞を、前記ａｒＮＯＸタンパク質又はポリペプチドが発現される条件下で培養するステップと
を含む方法。
【請求項６】
配列番号２、配列番号４、配列番号６、配列番号８、配列番号１０、配列番号１３、配列番号１４、配列番号１５、配列番号１６若しくは配列番号１７、又は配列番号２のアミノ酸５６〜８７、配列番号２のアミノ酸５４８〜５６８、配列番号６のアミノ酸７３〜１０４、配列番号８のアミノ酸５５〜８８、配列番号１０のアミノ酸５３〜８４に示すアミノ酸配列を特徴とするタンパク質からなる群より選択される抗原と特異的に結合する抗体調製物。
【誤訳訂正書】
【提出日】平成25年6月27日(2013.6.27)
【誤訳訂正１】
【訂正対象書類名】特許請求の範囲
【訂正対象項目名】全文
【訂正方法】変更
【訂正の内容】
【特許請求の範囲】
【請求項１】
酵素を安定化する方法であって、前記酵素が安定化された補酵素の存在下で保管され、かつ、前記酵素として酵素番号ＥＣ１．１．１．２であるアルコール脱水素酵素、酵素番号ＥＣ１．１．１．４９であるグルコース−６−リン酸脱水素酵素または酵素番号ＥＣ１．６．９９．２であるジアホラーゼが使用されることを特徴とする方法。
【請求項２】
安定化されたニコチンアミドアデニンジヌクレオチド（ＮＡＤ／ＮＡＤＨ）化合物、安定化されたニコチンアミドアデニンジヌクレオチドリン酸（ＮＡＤＰ／ＮＡＤＰＨ）化合物または式（Ｉ）の化合物
【化１】
2013502212.tif 000001
が安定化された補酵素として使用されることを特徴とする請求項１記載の方法。
【請求項３】
一般式（II）を有する化合物
【化２】
2013502212.tif 000002
（式中、
Ａ＝アデニンまたはその類似体、
Ｔ＝それぞれ独立してＯ、Ｓ、
Ｕ＝それぞれ独立してＯＨ、ＳＨ、ＢＨ3-、ＢＣＮＨ2-、
Ｖ＝それぞれ独立してＯＨまたはリン酸基、または２つの基が環状リン酸エステル基を形成する、
Ｗ＝ＣＯＯＲ、ＣＯＮ（Ｒ）2、ＣＯＲ、ＣＳＮ（Ｒ）2、Ｒ＝それぞれ独立してＨまたはＣ1〜Ｃ2−アルキル、
Ｘ1、Ｘ2＝それぞれ独立してＯ、ＣＨ2、ＣＨＣＨ3、Ｃ（ＣＨ3）2、ＮＨ、ＮＣＨ3、
Ｙ＝ＮＨ、Ｓ、Ｏ、ＣＨ2、
Ｚ＝直鎖状または環状有機残基、
ただし、Ｚおよびピリジン残基は、グリコシル結合により連結されない
またはその塩、もしくは必要に応じて還元型
が安定化された補酵素として使用されることを特徴とする請求項１または２記載の方法。
【請求項４】
Ｚが、飽和または不飽和の炭素環式または複素環式の５員環であって、特に一般式（III）の化合物
【化３】
2013502212.tif 000003
式中、単結合または二重結合がＲ5'およびＲ5''との間に存在でき、
Ｒ4＝それぞれ独立してＨ、Ｆ、Ｃｌ、ＣＨ3、
Ｒ5＝ＣＲ42、
Ｒ5'およびＲ5''との間が単結合である場合、Ｒ5'＝Ｏ、Ｓ、ＮＨ、ＮＣ1〜Ｃ2−アルキル、ＣＲ42、ＣＨＯＨ、ＣＨＯＣＨ3、および、Ｒ5''＝ＣＲ42、ＣＨＯＨ、ＣＨＯＣＨ3、
Ｒ5'およびＲ5''との間が二重結合である場合、Ｒ5'＝Ｒ5''＝ＣＲ4、ならびに
Ｒ6、Ｒ6'＝それぞれ独立してＣＨまたはＣＣＨ3
であることを特徴とする請求項３記載の方法。
【請求項５】
カルバＮＡＤが安定化された補酵素として使用されることを特徴とする請求項１〜４のいずれかに記載の方法。
【請求項６】
安定化された酵素が、少なくとも２週間、好ましくは少なくとも４週間、そして最も好ましくは少なくとも８週間の期間保管されることを特徴とする請求項１〜５のいずれかに記載の方法。
【請求項７】
安定化された酵素が、少なくとも２０℃、好ましくは少なくとも２５℃、そして最も好ましくは少なくとも３０℃の温度で保管されることを特徴とする請求項１〜６のいずれかに記載の方法。
【請求項８】
安定化された酵素が、少なくとも５０％の相対空気湿度または／および乾燥剤なしで保管されることを特徴とする請求項１〜７のいずれかに記載の方法。
【請求項９】
安定化された酵素が、乾燥物としてまたは液相中で保管されることを特徴とする請求項１〜８のいずれかに記載の方法。
【請求項１０】
安定化された補酵素により安定化される酵素であって、少なくとも２週間、好ましくは少なくとも４週間、そして最も好ましくは少なくとも８週間、少なくとも２０℃、好ましくは少なくとも２５℃、そして最も好ましくは少なくとも３０℃の温度でまたは／および３００ｎｍ以上の波長の光の存在下、任意には高い空気湿度または／および乾燥剤なしで保管された場合に、酵素活性の初期値を基準として５０％未満、好ましくは３０％未満、そして最も好ましくは２０％未満の酵素活性の低下しかみられず、前記酵素が、酵素番号ＥＣ１．１．１．２であるアルコール脱水素酵素、酵素番号ＥＣ１．１．１．４９であるグルコース−６−リン酸脱水素酵素または酵素番号ＥＣ１．６．９９．２であるジアホラーゼであることを特徴とする酵素。
【請求項１１】
請求項１０記載の安定化された酵素を含む、分析物を測定するための検出試薬。
【請求項１２】
請求項１０記載の安定化された酵素または請求項１１記載の検出試薬を含むことを特徴とするテストエレメント。
【請求項１３】
酵素を安定化する方法であって、前記酵素が天然の補酵素の存在下で保管され、前記酵素として、酵素番号ＥＣ１．１．１．１またはＥＣ１．１．１．２であるアルコール脱水素酵素、酵素番号ＥＣ１．４．１．５であるＬ−アミノ酸脱水素酵素、酵素番号ＥＣ１．１．１．４７であるグルコース脱水素酵素、酵素番号ＥＣ１．１．１．４９であるグルコース−６−リン酸脱水素酵素、酵素番号ＥＣ１．１．１．６であるグリセロール脱水素酵素、酵素番号ＥＣ１．１．１．３０である３−ヒドロキシ酪酸脱水素酵素、酵素番号ＥＣ１．１．１．２７またはＥＣ１．１．１．２８である乳酸脱水素酵素および酵素番号ＥＣ１．１．１．３７であるリンゴ酸脱水素酵素からなる群から選択される脱水素酵素、または、酵素番号ＥＣ１．６．９９．２であるジアホラーゼが使用されることを特徴とする方法。
【請求項１４】
酵素番号ＥＣ１．１．１．１またはＥＣ１．１．１．２であるアルコール脱水素酵素、酵素番号ＥＣ１．１．１．４７であるグルコース脱水素酵素、酵素番号ＥＣ１．１．１．４９であるグルコース−６−リン酸脱水素酵素または酵素番号ＥＣ１．６．９９．２であるジアホラーゼが前記酵素として使用されることを特徴とする請求項１３記載の方法。
【請求項１５】
天然のニコチンアミドアデニンジヌクレオチド（ＮＡＤ／ＮＡＤＨ）化合物または天然のニコチンアミドアデニンジヌクレオチドリン酸（ＮＡＤＰ／ＮＡＤＰＨ）化合物が天然の補酵素として使用されることを特徴とする請求項１３または１４記載の方法。
【請求項１６】
安定化された酵素が３００ｎｍ以上の波長の光の存在下で保管されることを特徴とする請求項１〜９および１３〜１５のいずれかに記載の方法。
【誤訳訂正２】
【訂正対象書類名】図面
【訂正対象項目名】図２Ｄ
【訂正方法】変更
【訂正の内容】
【図２Ｄ】
2013502212.tif 000004
【誤訳訂正書】
【提出日】平成25年1月17日(2013.1.17)
【誤訳訂正１】
【訂正対象書類名】特許請求の範囲
【訂正対象項目名】全文
【訂正方法】変更
【訂正の内容】
【特許請求の範囲】
【請求項１】
炭素性乾燥ゲルを含み、この炭素性乾燥ゲルがミクロ孔およびメソ孔を有するキセロゲル、エアロゲルおよび／または冷却ゲルであり、メソ孔の孔径が少なくとも１０ｎｍである喫煙品。
【請求項２】
前記メソ孔の孔径が少なくとも２０乃至５０ｎｍであることを特徴とする請求項１記載の喫煙品。
【請求項３】
前記炭素性乾燥ゲルがキセロゲルであることを特徴とする請求項１または２記載の喫煙品。
【請求項４】
前記炭素性乾燥ゲルの総孔容積（窒素吸着法で測定した）が少なくとも０．５ｃｍ３／ｇであり、その内少なくとも０．１ｃｍ３／ｇがメソ孔であることを特徴とする請求項１乃至３いずれか１項記載の喫煙品。
【請求項５】
前記炭素性乾燥ゲルの総孔容積（窒素吸着法によって測定される）が、少なくとも０．６、０．７、０．８０、０．８５、０．８７、０．８９、０．９５、０．９８、１．００、１．１、１．２、１．３、１．４、１．５、１．６、１．７、１．８、１．９、２．０、２．１、２．２、２．３、２．４、２．５、２．６、２．７、２．８、２．９、３．０または３．１ｃｍ３／ｇであることを特徴とする請求項４記載の喫煙品。
【請求項６】
前記炭素性乾燥ゲルの総孔容積の少なくとも０．２、０．３、０．４、０．５、０．５５、０．６０、０．６５、０．７０、０．７５、０．８０、０．８５、０．９、１．０、１．１、１．２、１．３、１．４、１．５、１．６、１．７、１．８、１．９、２．０、２．１、２．２、２．３または２．４ｃｍ３／ｇがメソ孔の範囲である（窒素等温線の脱着分岐のＢＪＨ分析を使用して窒素吸着法によって測定される）ことを特徴とする請求項４または５記載の喫煙品。
【請求項７】
前記炭素性乾燥ゲルの総孔容積の少なくとも０．０５、０．１０、０．１５、０．２、０．３、０．４、０．５、０．６または０．７ｃｍ３／ｇがミクロ孔の範囲である（窒素吸着法で測定される）ことを特徴とする請求項４乃至６いずれか１項記載の喫煙品。
【請求項８】
前記炭素性乾燥ゲルのメソ孔の総孔容積は、ミクロ孔の総容積より大きいことを特徴とする請求項４乃至７いずれか１項記載の喫煙品。
【請求項９】
前記炭素性乾燥ゲルは、１５乃至４５ｎｍ、または２０乃至４０ｎｍの範囲のモードを含む孔径分布を有することを特徴とする請求項４乃至８いずれか１項記載の喫煙品。
【請求項１０】
前記炭素性乾燥ゲルのＢＥＴ表面積が、少なくとも５００、５５０、６００、６５０、７００、７５０、８００、９００、１０００、１１００、１２００、１３００、１４００、１５００、１６００、１７００、１８００または１９００ｍ２／ｇであることを特徴とする請求項４乃至９いずれか１項記載の喫煙品。
【請求項１１】
前記炭素性乾燥ゲルは、アルデヒドと芳香族アルコールを水性重縮合し、その後乾燥、炭化することによって得られることを特徴とする請求項１乃至１０いずれか１項記載の喫煙品。
【請求項１２】
前記炭素性乾燥ゲルは、任意にスチームおよび／または二酸化炭素で活性化されることを特徴とする請求項１乃至１１いずれか１項記載の喫煙品。
【請求項１３】
前記喫煙品がフィルターを含み、このフィルターが前記炭素性乾燥ゲルを含むことを特徴とする請求項１乃至１２いずれか１項記載の喫煙品。
【請求項１４】
請求項１乃至１３いずれか１項記載の炭素性乾燥ゲルを含む喫煙品用フィルター。
【請求項１５】
煙のろ過のために請求項１乃至１３いずれか１項記載の前記炭素性乾燥ゲルの使用。
【誤訳訂正２】
【訂正対象書類名】明細書
【訂正対象項目名】００４９
【訂正方法】変更
【訂正の内容】
【００４９】
【表２】
2013502214.tif 000001
＊表面積は、通風管を使用して０．２の相対圧力Ｐ／Ｐｏで測定した。
＊＊０．９８の相対圧力Ｐ／Ｐｏで吸着した窒素の量から予測した。
【誤訳訂正３】
【訂正対象書類名】明細書
【訂正対象項目名】００６３
【訂正方法】変更
【訂正の内容】
【００６３】
【表５】
2013502214.tif 000002
＊表面積は、通風管を使用して０．２の相対圧力Ｐ／Ｐｏで測定した。
＊＊０．９８の相対圧力Ｐ／Ｐｏで吸着した窒素の量から予測した。
【手続補正書】
【提出日】平成25年8月15日(2013.8.15)
【手続補正１】
【補正対象書類名】特許請求の範囲
【補正対象項目名】全文
【補正方法】変更
【補正の内容】
【特許請求の範囲】
【請求項１】
複数の手術用要素を収容する装置であって、
ハウジング
を有し、
前記ハウジングは、約１２ｍｍ未満の最大断面寸法を有し、
前記ハウジングは、さらに、それぞれ縫合糸が装着された複数の未使用針を保持する第１のセクションと、当該第１のセクションと独立した前記複数の針を使用後に受容する第２のセクションとを有するものである
装置。
【請求項２】
請求項１記載の装置において、前記ハウジングは、前記第２のセクションにヒンジ式に連結された前記第１のセクションを有するクラムシェルハウジングである装置。
【請求項３】
請求項２記載の装置において、さらに、
前記ハウジングを閉じた位置で固定する閉鎖手段を有するものである装置。
【請求項４】
請求項１記載の装置において、前記ハウジングの前記第２のセクションは、前記使用済み針を収容する実質的に密閉されたチャンバーを含むものである装置。
【請求項５】
請求項１記載の装置において、前記第２のセクションは、その内部に使用済み針を留置できる発泡材層を含むものである装置。
【請求項６】
請求項１記載の装置において、前記第２のセクションは複数のクリップを含み、各クリップは単一の使用済み針を保持するように構成されるものである装置。
【請求項７】
請求項１記載の装置において、前記第２のセクションは磁石を含むものである装置。
【請求項８】
請求項１記載の装置において、前記複数の針は、前記ハウジングに取り付けられた折り畳み式パネルに固定されるものである装置。
【請求項９】
請求項１記載の装置において、前記複数の針は、前記ハウジングの発泡材層内に固定されるものである装置。
【請求項１０】
複数の手術用要素を保持する装置であって、
複数のポケットを内部に有する柔軟なパネル
を有し、
各ポケットは単一の針を収容するように構成され、各針には縫合糸が装着されるものであり、前記パネルは、巻回されたとき直径が約１２ｍｍ未満の略円筒形状の構造になるように構成されるものである
装置。
【請求項１１】
請求項１０記載の装置において、さらに、
前記パネルの基部に取り付けられた処分用チャンバーを有し、
前記パネルは、前記処分用チャンバーの周囲に巻回されるように構成されるものである装置。
【請求項１２】
請求項１０記載の装置において、前記柔軟なパネルは、分断不可能な（ｎｏｎ−ｔｅａｒａｂｌｅ）ポリマー材料を有するものである装置。
【請求項１３】
請求項１０記載の装置において、前記柔軟なパネルは、当該パネルの対向しあう側部に固定された一対のワイヤーストリップを有するものである装置。
【請求項１４】
複数の手術用要素を保持する装置であって、
ハウジングと、
前記ハウジング内に収容され、且つ当該ハウジングの少なくとも一部に取り付けられた折り畳み自在なパネルであって、当該折り畳み自在なパネルは複数のセグメントを有し、各セグメントは、縫合糸が装着された単一の未使用針を安全に保持するものである、前記折り畳み自在なパネルと、
前記複数の針を使用後に受容する、前記ハウジング内の処分用手段と
を有する装置。
【請求項１５】
請求項１４記載の装置において、前記処分用手段は、前記針を受容する少なくとも１つの開口部を備える処分用チャンバーを有するものである装置。
【請求項１６】
請求項１５記載の装置において、ドアは前記開口部を覆うものである装置。
【手続補正２】
【補正対象書類名】明細書
【補正対象項目名】０００３
【補正方法】変更
【補正の内容】
【０００３】
腹腔鏡下手術の多くは、ＤＡ  ＶＩＮＣＩ（登録商標）サージカルシステムなどのロボット技術を使って行われる。ＤＡ  ＶＩＮＣＩ（登録商標）サージカルシステムを使って行われる処置の１つに、膣円蓋脱を修復する外科的処置である仙骨膣固定術（仙骨前面固定術）がある。この術中、外科医はメッシュを配置して膣を支持するが、これに相当の縫合が伴う。１回の手術で別個に１６〜２４回の縫合が行われることも少なくない。縫合工程には著しく時間がかかり、その場合高度に熟練した補佐者が、ロボットアームを制御する外科医に、縫合糸付きの各針を渡す必要がある。また、そのような針は、通常、患者の腹部内で外科医に渡される。そのため、前記補佐者は、針を渡す際に動脈その他の組織を傷つけないよう当該作業に習熟した者でなければならない。
この出願の発明に関連する先行技術文献情報としては、以下のものがある（国際出願日以降国際段階で引用された文献及び他国に国内移行した際に引用された文献を含む）。
【先行技術文献】  
【特許文献】
【手続補正３】
【補正対象書類名】明細書
【補正対象項目名】０００４
【補正方法】変更
【補正の内容】
【０００４】
【特許文献１】  米国特許出願公開第２００４／０１２９５９１号明細書
【特許文献２】  米国特許出願公開第２００８／０２４３１４１号明細書
【特許文献３】  米国特許出願公開第２００７／００５５２９４号明細書
【特許文献４】  米国特許出願公開第２００３／０１５５２５９号明細書
【特許文献５】  米国特許第７０７００５１号明細書
【特許文献６】  米国特許第５７９９７８８号明細書
【発明の概要】
【課題を解決するための手段】
【手続補正４】
【補正対象書類名】明細書
【補正対象項目名】０００５
【補正方法】変更
【補正の内容】
【０００５】
本発明は、複数の手術用要素、例えばそれぞれ縫合糸が装着された針を収容する装置を提供する。当該装置は、第１の形態において、最大断面寸法が約１２ｍｍ未満のハウジングを有する。さらに前記ハウジングは、それぞれ縫合糸が装着された複数の未使用針を保持する第１のセクションと、当該第１のセクションと独立した前記複数の針を使用後に受容する第２のセクションとを有する。
別の形態において、当該装置は、複数のポケットを内部に有する柔軟なパネルを含む。各ポケットは、単一の針を収容するように構成できる。前記パネルは、巻回されたとき直径が約１２ｍｍ未満の略円筒形状の構造になるように構成できる。選択的に、前記パネルの基部に処分用チャンバーを取り付けることもできる。その場合、前記パネルは、その閉じた構成で、前記処分用チャンバーの周囲に巻回されるように構成することができる。
【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
患者の皮膚と一致し、患者の皮膚に対する液体封止部を形成するように構成されたフレームと、
前記患者の皮膚と直接接触する音響結合媒体を保持するように構成されたリザーバ部分と、
前記音響結合媒体と音響通信する超音波変換器とを備え、前記フレームに対する前記超音波変換器の運動が、前記超音波変換器と前記音響結合媒体との間の音響通信を維持する、超音波治療装置。
【請求項２】
前記患者の前立腺を撮像するように構成された直腸撮像プローブをさらに備える、請求項１に記載の超音波治療装置。
【請求項３】
前記リザーバ部分が、前記直腸撮像プローブを受け入れるように構成されたシースを備える、請求項２に記載の超音波治療装置。
【請求項４】
前記フレームが、会陰を取り囲む男性患者の生体構造と一致するように寸法決めおよび形状付けされる、請求項１に記載の超音波治療装置。
【請求項５】
前記リザーバ部分が柔軟である、請求項４に記載の超音波治療装置。
【請求項６】
前記超音波変換器が、前記リザーバ部分に結合され、超音波治療を前記会陰を通して前記患者の前立腺に向けるように構成される、請求項５に記載の超音波治療装置。
【請求項７】
前記患者の陰嚢を前記会陰から離して保持するように構成された吊り紐をさらに備える、請求項４に記載の超音波治療装置。
【請求項８】
前記リザーバ部分が、前記音響結合媒体を空気に露出するように開放される、請求項１に記載の超音波治療装置。
【請求項９】
前記超音波変換器が、前記音響結合媒体内に浸される、請求項１に記載の超音波治療装置。
【請求項１０】
前記リザーバ部分が、前記音響結合媒体を収容するように前記患者の皮膚に対して封止される、請求項１に記載の超音波治療装置。
【請求項１１】
前記音響結合媒体が、脱気水を含む、請求項１に記載の超音波治療装置。
【請求項１２】
前記フレームが、接着剤を用いて前記患者に固定される、請求項１に記載の超音波治療装置。
【請求項１３】
前記フレームが、帯を用いて前記患者に固定される、請求項１に記載の超音波治療装置。
【請求項１４】
前記フレームが、着用可能な衣服を含む、請求項１に記載の超音波治療装置。
【請求項１５】
前記着用可能な衣服が、前記患者の皮膚に対する液体封止部を前記患者の腰付近および前記患者の脚部付近に形成する、請求項１４に記載の超音波治療装置。
【請求項１６】
前記着用可能な衣服が、前記患者の皮膚に対する液体封止部を前記患者の会陰の周りに形成する、請求項１４に記載の超音波治療装置。
【請求項１７】
前記リザーバ部分が圧縮されるときに前記リザーバ部分から前記音響結合媒体を受け入れ、前記リザーバ部分が拡張させられるときに前記音響結合媒体を前記リザーバ部分に送達するように構成された遠隔リザーバをさらに備える、請求項１に記載の超音波治療装置。
【請求項１８】
前記超音波変換器が、組織破砕パルスを前記患者の前立腺に送達するように構成される、請求項１に記載の超音波治療装置。
【請求項１９】
前記超音波変換器が、前記患者の前立腺内にキャビテーション泡を形成するように構成される、請求項１に記載の超音波治療装置。
【請求項２０】
前記超音波変換器が、およそ５０ＫＨｚから５ＭＨｚの間の周波数で動作する音響パルスを送達するように構成され、前記音響パルスが、およそ８〜２５ＭＰａのピーク負圧および１０ＭＰａより大きいピーク正圧を有するパルス強度と、５０周波より短いパルス長と、およそ０．１％から５％の間のデューティーサイクルと、５ＫＨｚ未満のパルス繰り返し周波数とを有する、請求項１に記載の超音波治療装置。
【請求項２１】
患者の鼠径部の両側と一致するように寸法決めおよび構成された第１および第２の部分を備え、前記患者の皮膚に対する液体封止部を形成するように構成されるフレームと、
前記フレームに結合され、超音波変換器を前記患者の会陰および前立腺を覆って位置決めし運動させることを可能にするように構成されたリザーバ部分とを備える、超音波結合容器。
【請求項２２】
前記リザーバ部分に結合された直腸シースをさらに備える、請求項２１に記載の超音波結合容器。
【請求項２３】
前記超音波変換器を受け入れるように構成され、前記リザーバ部分に結合されたレセプタクルをさらに備える、請求項２１に記載の超音波結合容器。
【請求項２４】
前記リザーバ部分が柔軟である、請求項２１に記載の超音波結合容器。
【請求項２５】
前記フレームが、前記第１の部分と前記第２の部分を連結させる第３の部分を備え、前記第３の部分が、直腸下方の前記患者の皮膚と一致するように構成される、請求項２１に記載の超音波結合容器。
【請求項２６】
前記患者の陰嚢を前記会陰から離して保持するように構成された吊り紐をさらに備える、請求項２１に記載の超音波結合容器。
【請求項２７】
前記フレームが、前記患者によって着用されるように構成された着用可能な衣服に結合される、請求項２１に記載の超音波結合容器。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
上側歯列弓器具と下側歯列弓器具との間に治療目的の力を適用するための歯列矯正装置であって、
患者の前記上側歯列弓器具を連結するための連結具と、
前記連結具に堅く連結され、かつ、弛緩状態のときに、カンチレバーを特定の予め定められた配向に自己復帰させるのに十分な復元力を有する弾力材料を含む、カンチレバーと、
一端が前記カンチレバーに連結され、反対端が前記下側器具に連結されるように適合された、２つの対向端を有するフォースモジュールと、を含む歯列矯正装置。
【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
遺伝子組換え重金属キレーター作用因子遺伝子を含む細菌であって、
前記細菌は重金属に対して抵抗性であり、
少なくとも２０μＭ〜約１００μＭのＨｇ；約２００μＭ〜約２５０μＭを超えるカドミウム濃度；約５００μＭ〜約１，０００μＭを超える亜鉛濃度；または約２５０μＭ〜約３，０００μＭを超える鉛濃度に対して抵抗性である、
細菌。
【請求項２】
前記キレーター作用因子遺伝子は、哺乳動物のｍｔ遺伝子、β−ｇａｌ遺伝子、またはｐｐｋ遺伝子のうちの少なくとも一つである、請求項１に記載の細菌。
【請求項３】
大腸菌（Ｅ．ｃｏｌｉ）、シュードモナス（Ｐｓｅｕｄｏｍｏｎａｓ）属、シアノバクテリア（Ｃｙａｎｏｂａｃｔｅｒｉａ）属およびバチルス（Ｂａｃｉｌｌｕｓ）属の中から選択される、請求項１または２に記載の細菌。
【請求項４】
前記キレーター作用因子遺伝子が、色素体の１６Ｓ  ｒｒｎ遺伝子に由来する転写構成的プロモータ配列から転写され、かつ、バクテリオファージＴ７の遺伝子１０に由来する５’ＵＴＲの転写エンハンサー要素配列、および、色素体のｒｐｓ１６遺伝子または大腸菌ｒｒｎＢ遺伝子の３’ＵＴＲのＲｈｏ非依存性転写ターミネータ配列に隣接する、請求項１から３のいずれか一項に記載の細菌。
【請求項５】
前記キレーター作用因子コード配列がマウスのｍｔ１遺伝子に対応し、かつ、当該細菌が、２０μＭ〜約１６０μＭの水銀、約２００μＭ〜約２５０μＭを超えるカドミウム濃度、約５００μＭ〜約１，０００μＭを超える亜鉛濃度、または約２５０μＭ〜約３，０００μＭを超える鉛濃度に対して抵抗性である、請求項２から４のいずれか一項に記載の細菌。
【請求項６】
前記キレーター作用因子コード配列がβ−ｇａｌ遺伝子に対応し、かつ、当該細菌が、２０μＭ〜約１４０μＭの水銀、少なくとも約２５０μＭのカドミウム、少なくとも約１，０００μＭの亜鉛または少なくとも約３，０００μＭの鉛に対して抵抗性である、請求項２に記載の細菌。
【請求項７】
前記キレーター作用因子コード配列がｐｐｋ遺伝子に対応し、かつ、当該細菌が、２０μＭ〜約１００μＭを超える水銀濃度、約２０μＭ〜約２５０μＭを超えるカドミウム濃度、約２０μＭ〜約１，０００μＭを超える亜鉛濃度、または約２０μＭ〜約３，０００μＭを超える鉛濃度に対して抵抗性である、請求項２に記載の細菌。
【請求項８】
水銀、カドミウム、亜鉛または鉛を含有する液体環境に存在するとき、前記水銀、カドミウム、亜鉛または鉛を蓄積し、かつ、着色において濃くなる、請求項２または４に記載の細菌。
【請求項９】
水銀、カドミウム、亜鉛または鉛を含有する液体環境に存在するとき、前記水銀、カドミウム、亜鉛または鉛を蓄積し、凝集体を形成し、かつ、沈殿する、請求項２、４、または８に記載の細菌。
【請求項１０】
前記キレーター導入遺伝子がβ−ガラクトシダーゼであり、かつ、５−ブロモ−４−クロロ−３−インドリル−β−Ｄ−ガラクトピラノシド（Ｘ−ｇａｌ）を切断するβ−ガラクトシダーゼの能力が重金属の存在によって低下する、請求項２または６に記載の細菌。
【請求項１１】
重金属を液体から汚染除去するための方法であって、
細菌は少なくとも２０μＭの水銀に対して抵抗性である、ｍｔ遺伝子、ｐｐｋ遺伝子またはβ−ガラクトシダーゼ遺伝子を発現する細菌培養物を前記液体に加え、および
前記細菌を、前記重金属の捕捉を可能にするために十分な期間の後で前記液体から除くこと
を含む方法。
【請求項１２】
水銀を液体から汚染除去するための方法であって、
前記液体を、固体マトリックスを含むデバイスに入れること（ただし、前記マトリックスは、細胞キャリアを伴うことなくβ−ガラクトシダーゼを含む）、および、
前記液体が前記固体マトリックスから溶出される際の前記液体を集めること
を含む方法。
【請求項１３】
重金属汚染を検出するためのキットであって、
Ｘ−ｇａｌの存在下で約５μＭ〜約４０μＭ重金属溶液の様々な水銀濃度に暴露する際、進行する色変化を明らかにする、インジケータ細片上のβ−ガラクトシダーゼ発現細菌培養物またはβ−ガラクトシダーゼ酵素、
Ｘ−ｇａｌ、および
インジケータ細片上の前記β−ガラクトシダーゼ発現細菌培養物またはβ−ガラクトシダーゼ酵素と接触している液体における重金属の様々な濃度に対応する着色を示すチャート
を含むキット。
【請求項１４】
重金属汚染を検出するためのキットであって、
流体用容器、
β−ガラクトシダーゼ、ｐｐｋまたはｍｔ１を発現する細菌培養物、および
液体中の前記重金属の約０μＭ〜約４０μＭの様々な濃度の存在下で繁殖する際、前記細菌培養物の着色に対応する暗い着色を示すインジケータ細片
を含むキット。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
コンピュータ読み取り可能な記録媒体に記憶されたコンピュータプログラムであって、１つ又はそれよりも多くのコンピュータに、
広告を掲載する要求の受信に応答して、複数の競争経済評価モデルを配備して複数の広告掲載の各々に対する経済評価を予測する手順と、
前記複数の競争経済評価モデルの各々によって生成された各評価を査定し、その中から広告掲載の現在の評価として１つを選択する手順とを実行させるためのコンピュータプログラム。
【請求項２】
前記競争経済評価モデルは、少なくともリアルタイムイベントデータ、履歴イベントデータ、ユーザデータ、第三者商業データ、状況データ、広告主データ、広告代理店データ、履歴広告パフォーマンスデータ、又はマシーン学習のいずれかの少なくとも一部基づくことを特徴とする、請求項１に記載のコンピュータプログラム。
【請求項３】
前記第三者商業データは、履歴広告インプレッションに関連する金融データを含むことを特徴とする請求項２に記載のコンピュータプログラム。
【請求項４】
コンピュータ読み取り可能な記録媒体に記憶されたコンピュータプログラムであって、１つ又はそれよりも多くのコンピュータに、
広告を掲載する要求の受信に応答して、複数の競争経済評価モデルを配備して広告掲載と広告との複数の組合せの各々に対する経済評価を予測する手順と、
前記複数の競争経済評価モデルの各々によって生成された各評価を査定し、その中から広告掲載と広告との組合せの第１の評価として１つを選択する手順と、
前記複数の競争経済評価モデルの各々によって生成された各評価を再査定し、その中から前記広告掲載と前記広告との前記組合せに対する修正評価として１つを選択する手順であって、該修正評価が、前記第１の評価を選択する時には利用可能でなかったリアルタイムイベントデータを使用する競争経済評価モデルの分析に少なくとも一部基づく当該手順と、
前記第１の評価を前記広告掲載と前記広告との前記組合せに対して推薦された入札額を導出する際に使用するための前記第２の修正評価で置換する手順とを実行させるためのコンピュータプログラム。
【請求項５】
前記要求は提供者から受信され、前記推薦された入札額は該提供者に自動的に送信される、ことを特徴とする請求項４に記載のコンピュータプログラム。
【請求項６】
前記要求は提供者から受信され、前記推薦された入札額に等しい入札が該提供者に代わって自動的に入れられることを特徴とする、請求項４又は５に記載のコンピュータプログラム。
【請求項７】
前記推薦された入札額は広告掲載の推薦された時間に関連付けられる、ことを特徴とする請求項４〜６の何れか１項に記載のコンピュータプログラム。
【請求項８】
前記推薦された入札額は、更に、リアルタイム入札マシーンに関連付けられたリアルタイム入札ログの分析によって導出される、ことを特徴とする請求項４〜７の何れか１項に記載のコンピュータプログラム。
【請求項９】
コンピュータ読み取り可能な記録媒体に記憶されたコンピュータプログラムであって、１つ又はそれよりも多くのコンピュータに、
広告を掲載する要求の受信に応答して、複数の競争経済評価モデルを配備して複数の広告掲載と複数の広告との複数の利用可能な組合せに関連する情報を査定し、該複数の広告掲載と該複数の広告との各組合せに対する経済評価を予測する手順と、
前記複数の競争経済評価モデルの各々によって生成された各評価を査定し、その中から広告掲載と広告との組合せの将来の評価としての１つを選択する手順とを実行させるためのコンピュータプログラム。
【請求項１０】
コンピュータ読み取り可能な記録媒体に記憶されたコンピュータプログラムであって、１つ又はそれよりも多くのコンピュータに、
広告を掲載する要求の受信に応答して、複数の競争経済評価モデルを配備して複数の利用可能な広告掲載と複数の広告との組合せに関連する情報を査定し、該複数の広告掲載と該複数の広告との各組合せに対する経済評価を予測する手順と、
前記複数の競争経済評価モデルの各々によって生成された各評価をリアルタイムで査定し、その中から広告掲載と広告との前記組合せに対する将来の評価として１つを選択する手順とを実行させるためのコンピュータプログラム。
【請求項１１】
前記将来の評価は、将来のイベントを説明するシミュレーションデータに少なくとも一部基づくことを特徴とする、請求項９又は１０に記載のコンピュータプログラム。
【請求項１２】
前記将来のイベントは、株価の変動であることを特徴とする、請求項１１に記載のコンピュータプログラム。
【請求項１３】
将来のイベントを説明する前記シミュレーションデータは、前記広告掲載に掲載される広告に関連する状況データに少なくとも一部基づいて選択された履歴イベントデータの分析から導出されることを特徴とする、請求項１１又は１２に記載のコンピュータプログラム。
【請求項１４】
コンピュータ読み取り可能な記録媒体に記憶されたコンピュータプログラムであって、１つ又はそれよりも多くのコンピュータに、
広告を掲載する要求の受信に応答して、広告掲載に対する入札のために、複数の利用可能な広告掲載と複数の広告との組合せに関連する複数の競争リアルタイム入札アルゴリズムを配備する手順と、
各入札アルゴリズムを査定して好ましいアルゴリズムを選択する手順とを実行させるためのコンピュータプログラム。
【請求項１５】
前記競争リアルタイム入札アルゴリズムは、リアルタイム入札ログからのデータを使用することを特徴とする請求項１３に記載のコンピュータプログラム。
【請求項１６】
コンピュータ読み取り可能な記録媒体に記憶されたコンピュータプログラムであって、１つ又はそれよりも多くのコンピュータに、
広告を掲載する要求の受信に応答して、広告掲載に対する入札のために、複数の利用可能な広告掲載と複数の広告との組合せに関連する複数の競争リアルタイム入札アルゴリズムを配備する手順と、
前記競争リアルタイム入札アルゴリズムによって作成された各入札推薦を査定する手順と、
前記競争リアルタイム入札アルゴリズムによって作成された各入札推薦を再査定して修正入札推薦として１つを選択する手順であって、該修正入札推薦が、該入札推薦を選択した時に利用可能でなかったリアルタイムイベントデータを使用するリアルタイム入札アルゴリズムに少なくとも一部基づく当該手順と、
前記入札推薦を、広告掲載と広告との組合せに対する推薦入札額を導出する際に使用するための前記修正入札推薦で置換する手順とを実行させるためのコンピュータプログラム。
【請求項１７】
前記置換は、広告を掲載する前記要求の前記受信に対してリアルタイムで発生することを特徴とする、請求項１６に記載のコンピュータプログラム。
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
Ｘ線ビームを発生するＸ線管において、前記Ｘ線管が、
ｘ方向におけるフォーカルスポット偏向に対する第１の偏向装置と、
ｙ方向におけるフォーカルスポット偏向に対する第２の偏向装置と、
を有し、
前記第１及び第２の偏向装置が、前記Ｘ線管のｚ軸に沿って互いに離れて配置される、
Ｘ線管。
【請求項２】
前記第１の偏向装置が、陰極ハウジング内に取り付けられ、前記第２の偏向装置が、前記陰極ハウジングの外側に取り付けられる、請求項１に記載のＸ線管。
【請求項３】
前記第１の偏向装置が、静電グリッドを含み、前記Ｘ線管の陰極カップに取り付けられる、請求項１に記載のＸ線管。
【請求項４】
前記第２の偏向装置が、双極子を形成する電磁コイルを含み、前記Ｘ線管の陰極と陽極との間に取り付けられる、請求項１に記載のＸ線管。
【請求項５】
前記第２の偏向装置は、前記第２の偏向装置が斜めに前記フォーカルスポットを偏向するようにｘ方向におけるフォーカルスポット偏向をも提供する、請求項１に記載のＸ線管。
【請求項６】
前記第１の偏向装置が、静的場、動的場及び動的場により重畳された静的場からなるグループの中の場を発生するように動作される、請求項１に記載のＸ線管。
【請求項７】
前記第２の偏向装置が、静的場、動的場及び動的場により重畳された静的場からなるグループの中の場を発生するように動作される、請求項１に記載のＸ線管。
【請求項８】
１以上のフィラメントを持つ陰極を有する、請求項１に記載のＸ線管。
【請求項９】
請求項１に記載のＸ線管と、
Ｘ線ビームの検出に対する検出器と、
処理ユニットと、
を有するＸ線システム。
【請求項１０】
関心対象に対する前記Ｘ線管及び検出器の運動を制御し、前記関心対象の運動を制御するモータ制御ユニットを有する、請求項９に記載のＸ線システム。
【請求項１１】
請求項９に記載のシステムの処理ユニット上で実行される場合に、前記Ｘ線システムの前記Ｘ線管の前記第１の偏向装置にｘ方向において電子ビームのフォーカルスポットを偏向させ、前記Ｘ線システムの前記Ｘ線管の前記第２の偏向装置にｙ方向において電子ビームのフォーカルスポットを偏向させる命令を含むコンピュータプログラム。
【請求項１２】
関心対象の画像を生成するように前記検出器から受信されたデータを処理し、前記システムのディスプレイ上に前記画像を示す命令を含む、請求項１１に記載のコンピュータプログラム。
【請求項１３】
関心対象に対する前記Ｘ線管及び検出器の運動を制御し、前記Ｘ線管及び検出器に対する前記関心対象の運動を制御する命令を含む、請求項１１に記載のコンピュータプログラム。
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
平均粒径が２００μｍ〜４００μｍの範囲にあり、充填床における空隙率を３６〜４０％の範囲とする熱磁気材料粒子からなる充填熱交換器床。
【請求項２】
上記材料粒子の粒径が、平均粒径から２０％を超えない差である請求項１に記載の熱交換器床。
【請求項３】
前記材料粒子が、球状、ペレット状、シート状または円柱状である請求項１または２に記載の熱交換器床。
【請求項４】
上記材料粒子が球状である請求項１〜３のいずれか一項に記載の熱交換器床。
【請求項５】
個々の流路の断面積が０．００１〜０．２ｍｍ２の範囲であり、壁厚が５０〜３００μｍであり、空隙率が１０〜６０％の範囲であり、表面／体積比率が３０００〜５００００ｍ２／ｍ３の範囲である連続流路を有するか、あるいはシート厚が０．１〜２ｍｍでシート間隔が０．０５〜１ｍｍである複数の平行シートを有する熱磁気材料モノリスからなる熱交換器床。
【請求項６】
前記空隙率が２０〜３０％である請求項５に記載の熱交換器床。
【請求項７】
前記個々の流路の断面積が０．０１〜０．０３ｍｍ２であり、壁厚が５０〜１５０μｍである請求項５または６に記載の熱交換器床。
【請求項８】
前記熱磁気材料が、
（１）一般式（Ｉ）の化合物：
（ＡｙＢy-1）2+δＣwＤxＥz    （Ｉ）  
式中、
Ａは、ＭｎまたはＣｏであり、
Ｂは、Ｆｅ、ＣｒまたはＮｉであり、
Ｃ、Ｄ及びＥは、Ｃ、Ｄ及びＥの少なくとも２種は異なり、ゼロ濃度になることはなく、Ｐ、Ｂ、Ｓｅ、Ｇｅ、Ｇａ、Ｓｉ、Ｓｎ、Ｎ、Ａｓ及びＳｂから選ばれ、Ｃ、Ｄ及びＥのうち少なくとも１種はＧｅ又はＳｉであり、
δは、−０．１〜０．１の範囲の数字であり、
ｗ、ｘ、ｙ、ｚは、０〜１の範囲の数字であり、ｗ＋ｘ＋ｚ＝１である；  
（２）一般式（II）及び／又は（III）及び／又は（IV）のＬａ系及びＦｅ系化合物：
Ｌａ（ＦｅｘＡｌ１-x）13ＨｙまたはＬａ（ＦｅxＳｉ１-x）13Ｈｙ  （II）  
式中、
ｘは、０．７〜０．９５の数字であり、
ｙは、０〜３の数字である；  
Ｌａ（ＦｅｘＡｌｙＣｏｚ）13またはＬａ（ＦｅｘＳｉｙＣｏｚ）13  （III）  
式中、
ｘは、０．７〜０．９５の数字であり、
ｙは、０．０５〜１−ｘの数字であり、
ｚは、０．００５〜０．５の数字である；  
ＬａＭｎxＦｅ2-xＧｅ  （IV）  
式中、
ｘは、１．７〜１．９５の数字である；  
（３）ＭｎＴＰ型（式中、Ｔは遷移金属であり、Ｐは、原子当りの電子数ｅ／ａが７〜８．５の範囲であるｐ−ドープ金属である）のホイスラー合金：
（４）一般式（V）のＧｄ系およびＳｉ系化合物：
Ｇｄ5（ＳｉxＧｅ1-x）4    （V）  
式中、ｘは、０．２〜１の数字である；
（５）Ｆｅ２Ｐ系化合物：
（６）ペロブスカイト型マンガナイト：
（７）希土類元素を含む一般式（VI）及び（VII）の化合物：
Ｔｂ5（Ｓｉ4-ｘＧｅｘ）  （VI）
式中、ｘ＝０、１、２、３又は４である；
ＸＴｉＧｅ  （VII）  
式中、Ｘ＝Ｄｙ、Ｈｏ又はＴｍである；
（８）一般式（VIII）及び（IX）のＭｎ及びＳｂ系、あるいはＭｎ及びＡｓ系化合物：
Ｍｎ2-xＺxＳｂ  （VIII）  
Ｍｎ2ＺxＳｂ1-x  （IX）  
式中、  
Ｚは、Ｃｒ、Ｃｕ、Ｚｎ、Ｃｏ、Ｖ、Ａｓ又はＧｅであり、
ｘは０．０１〜０．５であり、
ＺがＡｓでないとき、ＳｂはＡｓで置き換えられていてもよい；
から選ばれる請求項１〜７のいずれか一項に記載の熱交換器床。
【請求項９】
前記熱磁気材料が、Ｍｎ、Ｆｅ、Ｐ及び任意にＳｂに加えて、更にＧｅ又はＳｉ又はＡｓ、又はＧｅ及びＳｉ、又はＧｅ及びＡｓ、又はＳｉ及びＡｓ、又はＧｅ、Ｓｉ及びＡｓを含む一般式（Ｉ）の少なくとも四元の化合物から選ばれる請求項８に記載の熱交換器床。
【請求項１０】
請求項１〜４のいずれか一項に記載の熱交換器床を製造する方法であって、
熱磁気材料の粉末を成形して熱磁気材料粒子を形成する工程、及び次いでこの材料粒子を充填して前記熱交換器床を形成する工程を含む製造方法。
【請求項１１】
請求項５〜７のいずれか一項に記載の熱交換器床を製造する方法であって、
前記熱磁気材料を押出成型、射出成型または成型によりモノリスを形成する製造方法。